Podtech/llm-jp-corpus-v4-ja_patent huggingface dataset:
【手続補正書】
【提出日】平成26年7月7日(2014.7.7)
【手続補正１】
【補正対象書類名】特許請求の範囲
【補正対象項目名】全文
【補正方法】変更
【補正の内容】
【特許請求の範囲】
【請求項１】
貯蔵チェンバーと、
投与チェンバーと
膨張チェンバーとを含み、
これら貯蔵チェンバー、投与チェンバーおよび膨張チェンバーは、単独のユニット内に位置し、投与チェンバーは、貯蔵チェンバーから膨張チェンバーへと送られる流体の最大容積を形成するエアロゾル発生器。
【請求項２】
前記貯蔵チェンバーおよび投与チェンバーが定量バルブによって隔てられていることを特徴とする請求項１記載のエアロゾル発生器。
【請求項３】
前記投与チェンバーと膨張チェンバーがパフで作動するバルブによって隔てられていることを特徴とする請求項１または２記載のエアロゾル発生器。
【請求項４】
さらにマウスピースを含むことを特徴とする請求項１乃至３いずれか１項記載のエアロゾル発生器。
【請求項５】
さらに膨張チェンバーとマウスピースとの間にオリフィスを含むことを特徴とする請求項４記載のエアロゾル発生器。
【請求項６】
前記マウスピースが少なくとも１つの換気孔を含むことを特徴とする請求項４または５記載のエアロゾル発生器。
【請求項７】
前記少なくとも１つの換気孔とマウスピースが所定の流量でエアロゾルを供給するように構成されていることを特徴とする請求項６記載のエアロゾル発生器。
【請求項８】
前記所定の流量が約２７ミリメートル／秒であることを特徴とする請求項７記載のエアロゾル発生器。
【請求項９】
前記流体がニコチンを含むことを特徴とする請求項１乃至８いずれか１項記載のエアロゾル発生器。
【請求項１０】
投与チェンバーに保持されるニコチンを含む流体の量が喫煙品に含まれるニコチンの量に対応することを特徴とする請求項９記載のエアロゾル発生器。
【請求項１１】
投与チェンバーに保持されるニコチンを含む流体の量が喫煙品の所定のパフ数に含まれるニコチンの量に対応することを特徴とする請求項９記載のエアロゾル発生器。
【手続補正書】
【提出日】平成26年10月21日(2014.10.21)
【手続補正１】
【補正対象書類名】特許請求の範囲
【補正対象項目名】全文
【補正方法】変更
【補正の内容】
【特許請求の範囲】
【請求項１】
植物及び花に水まきするための如雨露であっって、
水を蓄えるための貯槽と、ハンドルとを含み、
前記貯槽は、入口孔と、注ぎ出口とを有し、
当該如雨露は、
時間評価装置と、
運動センサと、
通信手段とを更に含み得ることを特徴とする、
如雨露。
【請求項２】
前記時間評価装置と、前記運動センサと、前記通信手段とに接続される電気回路を更に含む、請求項１に記載の如雨露。
【請求項３】
エネルギ源を更に含む、請求項１に記載の如雨露。
【請求項４】
前記通信手段は、ラウドスピーカである、請求項１に記載の如雨露。
【請求項５】
前記時間評価装置は、時計である、請求項１に記載の如雨露。
【請求項６】
前記時間評価装置は、タイマである、請求項１乃至４に記載の如雨露。
【請求項７】
電気回路が、ＣＵＰと、メモリとを含み、前記ＣＰＵは、前記メモリに記憶されるアルゴリズムを実行するよう構成される、請求項１又は４に記載の如雨露。
【請求項８】
前記メモリは、前記ラウドスピーカを介して通信されるよう構成される音響情報を含む、請求項４及び７に記載の如雨露。
【請求項９】
前記通信手段は、無線送信機又は無線受信機である、請求項１に記載の如雨露。
【請求項１０】
前記通信手段は、少なくとも１つの携帯電話ネットワーク規格を介して通信するよう構成される電話モジュールである、請求項１に記載の如雨露。
【請求項１１】
如雨露が特定の時間期間に亘って使用されていないことを前記如雨露の使用者に警報する方法であって、
前記如雨露は、水を蓄えるための貯槽と、ハンドルとを含み、前記貯槽は、入口孔と、注ぎ出口とを有し、前記如雨露は、更に、時間評価装置と、運動センサと、通信手段とを含み、
当該方法は、
前記時間評価装置を始動させるステップと、
前記運動センサが運動を検出したか否かを確認し、運動を検出した場合には、前記時間評価装置をリセットするステップと、
前記時間評価装置が第１の所定の時間評価に達したときには、前記通信手段を起動させて通信させるステップとを含む、
方法。
【請求項１２】
前記時間評価装置が第１の所定の時間評価に達した後に前記時間評価装置をリセットするステップと、
前記運動センサが運動を検出したか否かを確認し、運動を検出した場合には、前記時間評価装置をリセットするステップと、
前記時間評価装置が第２の所定の時間評価に達したときには、前記通信手段を起動させて通信させるステップとを更に含む、
請求項１１に記載の方法。
【手続補正書】
【提出日】平成26年10月8日(2014.10.8)
【手続補正１】
【補正対象書類名】特許請求の範囲
【補正対象項目名】全文
【補正方法】変更
【補正の内容】
【特許請求の範囲】
【請求項１】
約０．５から５、好ましくは約０．５から３の範囲の蛋白質と炭水化物との重量比、３から９、好ましくは３．５から７．５の範囲の蛋白質と灰分との重量比、および１重量％未満、好ましくは０．１重量％未満、より好ましくは０．０１重量％未満の乳糖含量を有する、低乳糖含有量の蛋白質加水分解乳製品。
【請求項２】
蛋白質と炭水化物との比が約１である、請求項１に記載の蛋白質加水分解乳製品。
【請求項３】
蛋白質加水分解の程度が、少なくとも６０ｍｇチロシン／加水分解乳製品１リットルである、請求項１または２に記載の蛋白質加水分解乳製品。
【請求項４】
蛋白質：炭水化物：灰分の比が約１．１２：１：０．２６である、請求項１〜３のいずれかに記載の蛋白質加水分解乳製品。
【請求項５】
製品が、通常の乳の外観および官能特性を有する、請求項１〜４のいずれかに記載の蛋白質加水分解乳製品。
【請求項６】
乳原料を乳糖除去およびプロテアーゼ処理に供することを含む、０．５から５の範囲の蛋白質と炭水化物との重量比、３から９の範囲の蛋白質と灰分との重量比、および１重量％未満の乳糖含量を有する、低乳糖含有量の蛋白質加水分解乳製品を製造する方法。
【請求項７】
乳糖除去がプロテアーゼ処理の前、間または後に、好ましくはプロテアーゼ処理の前に行われる、請求項６に記載の方法。
【請求項８】
乳糖除去が、膜技術、乳糖加水分解、クロマトグラフィー、沈殿またはこれらの組み合わせ、好ましくは膜技術、により行われる、請求項６または７に記載の方法。
【請求項９】
乳原料がラクターゼ酵素処理に供される、請求項８に記載の方法。
【請求項１０】
ａ）乳原料を１種以上の膜ろ過に供して低乳糖乳製品を製造する、
ｂ）所望により、低乳糖乳製品をラクターゼで加水分解して無乳糖乳製品を製造する、
ｃ）低乳糖乳製品または無乳糖乳製品をプロテアーゼ処理に供して低乳糖含量の蛋白質加水分解乳製品を製造する、
請求項８に記載の方法。
【請求項１１】
ａ）乳原料を限外ろ過に供し、限外ろ過保持液および限外ろ過透過液を製造する、
ｂ）限外ろ過透過液をナノろ過に供し、ナノろ過保持液およびナノろ過透過液を製造する、
ｃ）ＮＦ透過液をＵＦ保持液に戻し、低乳糖乳製品を製造する、
請求項１０に記載の方法。
【請求項１２】
乳ミネラルが、好ましくは蛋白質加水分解乳製品またはＵＦ保持液に添加される、請求項１１に記載の方法。
【請求項１３】
ａ）乳原料を限外ろ過に供し、限外ろ過保持液および限外ろ過透過液を製造する、
ｂ）限外ろ過透過液をナノろ過に供し、ナノろ過保持液およびナノろ過透過液を製造する、
ｃ）ＮＦ透過液を逆浸透（ＲＯ）により濃縮し、ＲＯ保持液およびＲＯ透過液を製造する、
ｄ）ＲＯ保持液をＵＦ保持液に戻し、低乳糖乳製品を製造する、
請求項１０に記載の方法。
【請求項１４】
乳ミネラルが、好ましくは蛋白質加水分解乳製品またはＵＦ保持液に添加される、請求項１３に記載の方法。
【請求項１５】
乳原料が精密ろ過に供され、精密ろ過保持液としての低乳糖乳製品を製造する、請求項１０に記載の方法。
【請求項１６】
乳ミネラルがＭＦ保持液に添加される、請求項１５に記載の方法。
【請求項１７】
段階ｂ）と段階ｃ）が同時に行われる、請求項１０に記載の方法。
【請求項１８】
乳原料が、乳糖除去および／またはプロテアーゼ処理の前に加熱処理される、請求項６から１７のいずれかに記載の方法。
【請求項１９】
蛋白質加水分解乳製品がプロテアーゼ不活性化処理に供される、前記請求項６から１８のいずれかに記載の方法。
【手続補正書】
【提出日】平成26年10月14日(2014.10.14)
【手続補正１】
【補正対象書類名】特許請求の範囲
【補正対象項目名】全文
【補正方法】変更
【補正の内容】
【特許請求の範囲】
【請求項１】
微生物による食品の腐敗を防止または抑制するための、ＳＥＱ  ＩＤ  ＮＯ：４に示されるＢｌａｄ配列またはその活性変異体を含む抗微生物ポリペプチドを含む組成物の使用であって、前記活性異変体は抗菌作用を持ち、ＳＥＱ  ＩＤ  ＮＯ：４または少なくとも６０のアミノ酸長さであるＳＥＱ  ＩＤ  ＮＯ：４の断片の何れかと少なくとも４０％の同一性を持つ配列を含む、組成物の使用。
【請求項２】
前記微生物が細菌または真菌である、請求項１に記載の使用。
【請求項３】
前記細菌がシュードモナスまたはバチルス属からの食品腐敗種である、請求項２に記載の使用。
【請求項４】
前記真菌が以下の属：アルテルナリア、アスペルギルス、フザリウム、ボトリチス、コレトトリカム、サッカロマイセス、クルイベロマイセスおよびチゴサッカロマイセスの１つからの食品腐敗種である、請求項２に記載の使用。  
【請求項５】
前記食品が果物、堅果、野菜、種子、糖、乳製品、液状もしくはペースト状食品、肉、魚またはパンから得られる、これらをもたらす、またはこれらそのものである、請求項１〜４のいずれか１項に記載の使用。
【請求項６】
前記食品がイチゴである、請求項１〜５のいずれか１項に記載の使用。
【請求項７】
前記微生物がボトリチス・シネレアまたはコレトトリカム・アキュタタム、好適にはボトリチス・シネレアである、請求項６に記載の使用。
【請求項８】
前記組成物がキレート剤をさらに含む、請求項１〜７のいずれか１項に記載の使用。
【請求項９】
微生物による食品の腐敗の防止または抑制方法であって、それを必要とする食品に効果的な量の、請求項１または８に記載の組成物を投与するステップを含む、方法。
【手続補正書】
【提出日】平成26年8月26日(2014.8.26)
【手続補正１】
【補正対象書類名】特許請求の範囲
【補正対象項目名】全文
【補正方法】変更
【補正の内容】
【特許請求の範囲】
【請求項１】
外科用植え込み片であって、前記植え込み片が、
第１の材料から形成されている第１の植え込み片セグメントと、
第２の材料から形成されている第２の植え込み片セグメントと、を備え、
前記第１の植え込み片セグメントおよび前記第２の植え込み片セグメントが、互いに冶金的に溶接されるように構成されている、植え込み片。
【請求項２】
前記第１の材料が前記第２の材料とは異なる、請求項１に記載の植え込み片。
【請求項３】
前記第１の植え込み片セグメントと前記第２の植え込み片セグメントとの間に配置された複数の薄層の金属間材料をさらに備える、請求項１に記載の植え込み片。
【請求項４】
前記複数の薄層の金属間材料が、負の混合熱を有するように構成されており、前記第１の植え込み片セグメントおよび前記第２の植え込み片セグメントのうちの少なくとも一方の少なくとも一部分が前記複数の薄層の金属間材料で被覆される、請求項１に記載の外科用植え込み片。
【請求項５】
前記金属間材料が、Ｔｉ／Ａｌ、Ｎｉ／Ａｌ、Ｔｉ／Ｓｉ、Ｚｒ／Ａｌ、Ｔｉ／Ｎ、およびＴｉ５Ｓｉ３からなる群から選択される、請求項１に記載の外科用植え込み片。
【請求項６】
骨固定キットであって、前記キットが、
第１の材料から形成されている第１の骨植え込み片セグメントと、
第２の材料から形成されている第２の骨植え込み片セグメントと、を備え、
前記第１の骨植え込み片セグメントおよび前記第２の骨植え込み片セグメントが、互いに冶金的に溶接されるように構成されている、キット。
【請求項７】
前記第１の骨植え込み片セグメントと前記第２の骨植え込み片セグメントとを互いに冶金的に溶接するための取扱説明書をさらに備える、請求項６に記載のキット。
【請求項８】
前記複数の薄層の金属間材料が負の混合熱を有するように構成されている、請求項６に記載のキット。
【請求項９】
前記第１の骨植え込み片セグメントおよび前記第２の骨植え込み片セグメントがそれぞれ異なる材料から形成されている、請求項６に記載のキット。
【手続補正書】
【提出日】平成26年8月29日(2014.8.29)
【手続補正１】
【補正対象書類名】特許請求の範囲
【補正対象項目名】全文
【補正方法】変更
【補正の内容】
【特許請求の範囲】
【請求項１】
患者の胸部上の圧迫ロケーションに作用し、アクチュエータにより移動される圧迫素子と、
光パターンを少なくとも一時的に患者に投射し、前記圧迫素子及び前記アクチュエータに隣り合って位置する光学アラインメント支援部と、
を有する自動心肺蘇生装置。
【請求項２】
前記光パターンは、前記自動心肺蘇生装置の配置プロシージャの少なくとも一部の間、狙いを定められた圧迫ロケーションの支点を提供する、請求項１に記載の自動心肺蘇生装置。
【請求項３】
前記光学アラインメント支援部は、前記自動心肺蘇生装置の配置プロシージャの少なくとも一部の間、前記圧迫素子に対して予め規定された空間関係をもつように配される、請求項１に記載の自動心肺蘇生装置。
【請求項４】
前記光パターンが、患者の胸部上で内側−外側方向に延びるラインを含む、請求項１に記載の自動心肺蘇生装置。
【請求項５】
前記光パターンが十字を含む、請求項１に記載の自動心肺蘇生装置。
【請求項６】
前記光学アラインメント支援部がレーザ源を有する、請求項１に記載の自動心肺蘇生装置。
【請求項７】
前記圧迫素子及び前記光学アラインメント支援部を保持するポータルを更に有する、請求項１に記載の自動心肺蘇生装置。
【請求項８】
前記光学アライメント支援部は、前記圧迫素子の両側に位置する少なくとも２つの光源を有する、請求項１に記載の自動心肺蘇生装置。
【請求項９】
背板を更に有し、前記ポータルが、頭側−尾側方向において互いに離れている少なくとも２つの異なる位置で前記背板に取り付けられるように構成される、請求項６に記載の自動心肺蘇生装置。
【請求項１０】
前記背板が係止レールを有し、前記ポータルが、頭側−尾側方向に沿った複数の位置で前記係止レールに取り付けられるように構成される、請求項９に記載の自動心肺蘇生装置。
【請求項１１】
前記光パターンの投射が、４４０ｎｍ乃至５７０ｎｍの波長、好適には５３０ｎｍ乃至５６０ｎｍの波長を含む、請求項１に記載の自動心肺蘇生装置。
【手続補正書】
【提出日】平成26年8月4日(2014.8.4)
【手続補正１】
【補正対象書類名】特許請求の範囲
【補正対象項目名】全文
【補正方法】変更
【補正の内容】
【特許請求の範囲】
【請求項１】
物品支持アセンブリであって、
（ａ）接着部分と非粘着性のプルタブ部分とを有する引き伸ばし剥離可能な接着性ストリップと、
（ｂ）前記引き伸ばし剥離可能な接着性ストリップの前記接着部分の少なくとも一部の上に配置され、かつバックプレート部分と物品支持部分とを含む、一体型物品支持部材と、
を備え、
前記引き伸ばし剥離可能な接着性ストリップの前記非粘着性のプルタブ部分、及び前記物品支持部材の前記バックプレート部分が、組み合わさって、略対称の曲線状の輪郭を有する物品支持アセンブリが形成される、物品支持アセンブリ。
【請求項２】
前記バックプレート部分及び前記プルタブの前記隣接した縁部が、切れ目がなく連続的で、かつ整列されており、それによって、滑らかで連続的な曲線状の輪郭を形成する、請求項１に記載の物品支持アセンブリ。
【請求項３】
物品支持アセンブリであって、
（ａ）非対称のバックプレート部分と物品支持部分とを含む一体型物品支持部材と、
（ｂ）接着部分と非粘着性のプルタブ部分とを有する引き伸ばし剥離可能な接着性ストリップと、を備え、該非粘着性のプルタブ部分が、前記バックプレートの外縁を越えて延びるように配置され、更に、前記非粘着性のプルタブ部分が、前記物品支持アセンブリに対称な輪郭を提供する寸法及び形状と、
を有する、物品支持アセンブリ。
【請求項４】
物品支持アセンブリであって、
（ａ）接着部分と非粘着性のプルタブ部分とを有する引き伸ばし剥離可能な接着性ストリップと、
（ｂ）前記引き伸ばし剥離可能な接着性ストリップの前記接着部分の上に配置されるバックプレート部分と物品支持部分とを含む一体型物品支持部材と、
を備え、
前記バックプレートが切欠き領域を含み、前記プルタブ部分の少なくとも一部が、該切欠き領域内に配置され、前記引き伸ばし剥離可能な接着性ストリップ及び前記物品支持部材が、組み合わさって、略対称の輪郭を有する物品支持アセンブリが形成される、物品支持アセンブリ。
【請求項５】
前記物品支持体及び前記プルタブが透明である、請求項１に記載の物品支持アセンブリ。
【手続補正書】
【提出日】平成26年9月8日(2014.9.8)
【手続補正１】
【補正対象書類名】特許請求の範囲
【補正対象項目名】全文
【補正方法】変更
【補正の内容】
【特許請求の範囲】
【請求項１】
電動歯ブラシ用の磁気アクチュエータ・システムであって、当該システムは、
ケースと、
当該ケース中を延在する磁化可能な材料のスピンドルと、
前記ケース内に固定され、間隔をあけて配置された少なくとも一対の永久磁石アセンブリであって、各々が複数のN極/S極をもつ磁石部分を有する永久磁石アセンブリにおいて、一方の前記永久磁石アセンブリの前記N極/S極をもつ磁石部分が、他方の前記永久磁石アセンブリの前記N極/S極をもつ磁石部分に対向している、前記永久磁石アセンブリと、
前記複数の永久磁石アセンブリの間の空間に在る、前記スピンドルを取り囲むコイル巻線と、
各々複数の磁極部材を有する間隔をあけて配置された一対の磁極アセンブリであって、前記スピンドルに取り付けられ、前記永久磁石アセンブリによってはさまれた容積内に配置され、前記磁極部材が前記スピンドルから前記永久磁石のアセンブリの方へと外側へ放射状に延在する、一対の磁極アセンブリであって、一方の前記磁極アセンブリがN極に磁化され、他方の前記磁極アセンブリがS極に磁化されている、前記磁極アセンブリと、
を有し、
動作時には、電源からのゼロを中心とする方形波の形態、又は交流の形態の駆動信号が前記コイル巻線に印加され、結果としてこの磁石コイル・アセンブリと、間隔をあけて配置された前記永久磁石アセンブリとの間の磁気作用を生じ、選択された周波数及び選択された角度における前記スピンドルの振動動作をもたらし、ユーザの歯を洗浄するために前記スピンドル又はバネ・アセンブリがブラシヘッド・アセンブリを収容するよう適応されている、磁気アクチュエータ・システム。
【請求項２】
前記スピンドルに、又は当該スピンドルの一部へと固定されたボール-バネを有する、請求項１に記載のアクチュエータ・システム。
【請求項３】
動作時において、前記アクチュエータが当該アクチュエータのコギングトルクに起因して、磁気バネとしての機能となる、請求項１に記載のアクチュエータ・システム。
【請求項４】
前記N極/S極の前記磁石部分が、前記ケース内周で円周方向に交互にある、請求項１に記載のアクチュエータ・システム。
【請求項５】
前記N極/S極の磁石部分が、前記ケースに沿って長手方向に交互にある、請求項１に記載のアクチュエータ・システム。
【請求項６】
少なくとも一対の永久磁石アセンブリを2組有し、一方の組の永久磁石アセンブリのN極/S極の磁石部分が前記ケースの内側で円周方向に交互にあり、他方の組の前記永久磁石アセンブリのN極/S極の磁石部分が、前記ケースに沿って長手方向に交互にある、請求項１に記載のアクチュエータ・システム。
【請求項７】
N極とS極とが交互にある永久磁石アセンブリの各々が少なくとも8個の磁石部分を有し、前記磁極アセンブリの各々が中央部分と、当該中央部分から外方向に延在する、前記磁石部分の個数の半数の、等間隔に設置された磁極部材と、を有する、請求項４に記載のアクチュエータ・システム。
【請求項８】
N極とS極とが交互にある永久磁石のアセンブリの各々が、少なくとも4個の磁石部分を有し、前記永久磁石アセンブリによって囲まれた容積内に前記スピンドルに沿って空間を空けて設置され、当該磁石部分の個数の半分の磁極部材を有する、請求項５に記載のアクチュエータ・システム。
【請求項９】
前記スピンドル及び前記磁極アセンブリが鉄で作られていることを特徴とする、請求項１に記載のアクチュエータ・システム。
【請求項１０】
前記スピンドルは、前記コイル巻き線と系合する当該スピンドルの部分では、前記永久磁石アセンブリと系合する当該スピンドルの部分よりも大きな直径を有する、請求項１に記載のアクチュエータ・システム。
【請求項１１】
前記ケースが12 mm乃至15 mmの範囲の直径を有する、請求項１に記載のアクチュエータ。
【請求項１２】
前記選択された角度が9°乃至16°の範囲内にある、請求項１に記載のアクチュエータ。
【請求項１３】
前記コイル巻線の近傍に検知用の巻線を有し、前記永久磁石アセンブリの動きが、前記永久磁石アセンブリに対する当該検知コイルの位置に応じて当該検知用の巻線に電圧を誘起する磁束を生じさせ、前記永久磁石アセンブリからの磁束のみに起因する電圧を決定するために前記検知用の巻線からの電圧信号を処理するためと、当該電圧を標準の値に対して比較するためと、この後に、所望の振幅及び/又は所望の角度のスピンドルストロークを生じさせるために駆動信号の周波数又はデューティーサイクルを変化させるためと、の制御アセンブリを有する、請求項１に記載のアクチュエータ・システム。
【手続補正書】
【提出日】平成26年9月22日(2014.9.22)
【手続補正１】
【補正対象書類名】特許請求の範囲
【補正対象項目名】全文
【補正方法】変更
【補正の内容】
【特許請求の範囲】
【請求項１】
骨グラフト挿入装置であって、
骨グラフトを受取るように構築された中空チューブであって、伸張軸と基端部と先端部とを有し、前記中空チューブは前記基端部から前記先端部まで概ね均一な内部の長方形の断面形状を有し、前記先端部はテーパ状の内部表面を有し、前記先端部は少なくとも２つの側部の開口を有する、中空チューブと、
前記中空チューブの前記基端部に前記伸張軸に沿って挿入するために適合されたプランジャであって、前記プランジャは先端部を有し、前記先端部の外部断面は長方形をなし、かつ前記中空チューブの前記先端部の前記内部の断面形状に合うように輪郭付けられ、前記プランジャの先端部の外部表面は前記中空チューブの均一な断面形状と一致する係合をなす、プランジャとを備え、
前記プランジャの前記先端部は、前記プランジャが前記中空チューブに挿入されたときに前記中空チューブの前記先端部の近傍に留まり、
前記中空チューブと前記プランジャとは、前記プランジャを前記中空チューブの前記基端部から前記先端部まで前記伸張軸に沿って前進させたときに前記少なくとも２つの側部の開口を通じて手術部位に骨グラフト材料を送出すべく形成されている、装置。
【請求項２】
前記少なくとも２つの側部の開口は楕円形状の２つの側部の開口であり、第１の組の端部は直線形状をなし、第２の組の端部は半円状をなす２組の端部からなる、請求項１に記載の装置。
【請求項３】
前記プランジャの前記先端部は、前記プランジャを前記中空チューブの前記基端部から前記先端部まで前記伸張軸に沿って前進させたときに前記少なくとも２つの側部の開口と反対側に設けられる、請求項１に記載の装置。
【請求項４】
前記中空チューブの前記基端部に接続するように適合された着脱式漏斗をさらに備え、前記着脱式漏斗は、前記中空チューブ内への骨グラフトの挿入を促進する、請求項１に記載の装置。
【請求項５】
前記プランジャを前記中空チューブに挿入したときの前記プランジャの回転が実質的に防止されている、請求項１に記載の装置。
【請求項６】
前記中空チューブの前記先端部は閉鎖先端を有する、請求項１に記載の装置。
【請求項７】
前記プランジャおよび前記中空チューブの少なくとも一方の前記先端部は、前記中空チューブの前記基端部を構成する材料より軟質な材料で構築される、請求項１に記載の装置。
【請求項８】
前記中空チューブは、骨グラフトおよび骨形態形成たんぱく質の一方をプレロードしてなる、請求項１に記載の装置。
【請求項９】
前記中空チューブは少なくとも１つの入れ子式部分を有する請求項１に記載の装置。
【請求項１０】
骨グラフト挿入装置であって、
骨グラフトを受取るように構築された中空チューブであって、前記中空チューブは基端部および先端部を有し、かつ前記中空チューブは前記基端部から前記先端部まで概ね均一な内部の長方形の断面形状を有する、中空チューブを備え、
前記中空チューブの前記先端部は少なくとも２つの側部の開口を有し、
前記中空チューブの前記基端部で前記中空チューブ内に挿入するために適合するプランジャを備え、
それにより、前記プランジャは、少なくとも１つの実質的に平坦な輪郭を提示するために、前記中空チューブに対して構築され配置され、
それにより、前記プランジャは先端部を有し、前記先端部の外部断面は長方形をなし、かつ前記中空チューブの前記先端部の前記内部の断面形状に合うように輪郭付けられ、前記プランジャの先端部の外部表面は前記中空チューブの均一な断面形状と一致する係合をなし、前記中空チューブの前記基端部から前記先端部までの前記プランジャの移動は前記中空チューブによって受取られる前記骨グラフトの実質的に全てを除去し、
それにより、前記骨グラフトはグラフト受取りエリアに送出される装置。
【請求項１１】
前記少なくとも２つの側部の開口は楕円形状の２つの側部の開口であり、第１の組の端部は直線形状をなし、第２の組の端部は半円状をなす２組の端部からなる、請求項１３に記載の装置。
【請求項１２】
前記２つの側部の開口は、小さい方の長さと大きい方の長さを有する、請求項２に記載の装置。
【請求項１３】
前記中空チューブの基端部と前記グラフト受取りエリアとの間に連通をさらに備え、前記連通は電気的および機械的の連通のうちの少なくとも一方である、請求項１０に記載の装置。
【請求項１４】
前記２つの側部の開口は、小さい方の長さと大きい方の長さを有する、請求項１２に記載の装置。
【請求項１５】
前記プランジャの前記先端部は、前記プランジャが前記中空チューブに挿入されたときに前記中空チューブの前記先端部の近傍に留まる、請求項１０に記載の装置。
【請求項１６】
前記中空チューブの前記基端部に位置決めされた着脱式漏斗をさらに備え、前記着脱式漏斗は、前記中空チューブ内への骨グラフトの挿入を容易にする請求項１０に記載の装置。
【請求項１７】
前記中空チューブの前記基端部の前記内部表面上の傾斜または湾曲表面をさらに備え、
前記傾斜または湾曲表面は、前記少なくとも２つの側部の開口に実質的に隣接しかつ対向して位置決めされる請求項１４に記載の装置。
【請求項１８】
骨グラフト挿入装置であって、
骨グラフトを受取るように構築された中空チューブであって、伸張軸と基端部と先端部とを有し、前記中空チューブは前記基端部から前記先端部まで概ね均一な内部および外部の長方形の断面形状を有し、前記先端部は楔形閉鎖先端を有し、前記先端部は少なくとも２つの側部の開口を有し、前記少なくとも２つの側部の開口は楕円形状の２つの側部の開口であり、第１の組の端部は直線形状をなし、第２の組の端部は半円状をなす２組の端部からなる、中空チューブと、
前記中空チューブの前記基端部に前記伸張軸に沿って挿入するために適合されたプランジャであって、前記プランジャは先端部を有し、前記先端部の外部断面は長方形をなし、かつ前記中空チューブの前記先端部の前記内部の断面形状に合うように輪郭付けられ、前記プランジャの先端部の外部表面は前記中空チューブの均一な断面形状と一致する係合をなし、前記中空チューブの前記基端部から前記先端部までの前記プランジャの移動は前記中空チューブによって受取られる前記骨グラフトの実質的に全てを除去し、前記２つの側部の開口は骨グラフト材料の前記中空チューブの前記伸張軸に沿った送出を実質的に防止し、前記プランジャを前記中空チューブに挿入したときの前記プランジャの回転が実質的に防止されている、プランジャとを備え、
前記プランジャの前記先端部は、前記プランジャが前記中空チューブに挿入されたときに前記中空チューブの前記先端部の近傍に留まり、
前記２つの側部の開口は小さい方の長さと大きい方の長さを有する、装置。
【手続補正書】
【提出日】平成26年8月15日(2014.8.15)
【手続補正１】
【補正対象書類名】特許請求の範囲
【補正対象項目名】全文
【補正方法】変更
【補正の内容】
【特許請求の範囲】
【請求項１】
長手方向軸に沿って遠位先端部から近位端へと延在する生分解性内部心材と、
前記心材３の長さの一部に沿って前記心材を囲繞し、エネルギー源によって活性化されたときに軟化して周囲の骨組織へと侵入する素材で形成される熱可塑性ポリマーを含むスリーブと
を備える固定装置。
【請求項２】
前記生分解性内部心材は生分解性の金属内部心材である請求項１に係る固定装置。
【請求項３】
前記心材がマグネシウム又はマグネシウム合金を含む請求項２に係る固定装置。
【請求項４】
前記心材が鉄合金を含む請求項２に係る固定装置。
【請求項５】
前記心材がバルク金属ガラスを含む請求項２に係る固定装置。
【請求項６】
前記心材が非バルク金属ガラスを含む請求項１又は２に係る固定装置。
【請求項７】
前記熱可塑性ポリマーは生分解性である請求項１〜６のいずれか一項に係る固定装置。
【請求項８】
前記心材は中空である請求項１〜７のいずれか一項に係る固定装置。
【請求項９】
前記心材の前記遠位先端部は先細でありかつ前記スリーブの遠位端を遠位方向に過ぎて延在する請求項１〜８のいずれか一項に係る固定装置。
【請求項１０】
前記スリーブは、光を回折する金属微粒子又は有機色素微粒子を含む請求項１〜９のいずれか一項に係る固定装置。
【請求項１１】
前記内部心材は、前記内部心材を横方向に貫通して縫合糸を収容する貫通孔を備える請求項１〜１０のいずれか一項に係る固定装置。
【請求項１２】
前記スリーブは、前記スリーブを横方向に貫通する貫通開口部を有して、前記貫通開口部は前記内部心材の貫通孔と一直線に並びかつ前記内部心材の前記貫通孔と連通する請求項１〜１１のいずれか一項に係る固定装置。
【請求項１３】
前記固定装置は骨アンカー又は骨ねじである請求項１〜１２のいずれか一項に係る固定装置。
【請求項１４】
前記エネルギー源は、放射線装置、レーザ、熱源、電磁場、光源、又は超音波装置のいずれか一つである請求項１〜１３のいずれか一項に係る固定装置。
【手続補正書】
【提出日】平成26年8月1日(2014.8.1)
【手続補正１】
【補正対象書類名】特許請求の範囲
【補正対象項目名】全文
【補正方法】変更
【補正の内容】
【特許請求の範囲】
【請求項１】
心臓弁輪の所に移植することのできる人工心臓弁であって、
血流弁口を画定し、かつ流入端部を有する拡張不能で折畳み不能な環状の支持構造と、
前記支持構造に取り付けられ、前記血流弁口上で交互に開閉するように装着された弁尖と、
前記血流弁口の周りに延び、前記人工心臓弁に前記支持構造の前記流入端部の所で連結された第１の端部を有する塑性的に拡張可能なフレームであって、前記支持構造から離れる流入方向に突き出て、移植位置に送るための収縮状態および外側において弁輪に接触するためのより広い拡張状態をとることのできる第２の端部を有する、塑性的に拡張可能なフレームと、
前記塑性的に拡張可能なフレームの周りに位置し、前記第２の端部を囲む拡大シーリングフランジを含む布製カバリングと、
を備える人工心臓弁。
【請求項２】
前記支持構造は、流出方向に突き出る複数の交連支柱を含み、前記弁尖は可撓性であり、前記支持構造および交連支柱に取り付けられる、請求項１に記載の人工心臓弁。
【請求項３】
前記収縮状態において、前記フレームは円錐状であり、前記第１の端部から前記第２の端部に向かって内側にテーパ状である、請求項１に記載の人工心臓弁。
【請求項４】
前記拡張状態において、前記フレームは円錐状であり、前記第１の端部から前記第２の端部に向かって外側にテーパ状である、請求項３に記載の人工心臓弁。
【請求項５】
前記支持構造の前記流入端部を囲むソーイングリングをさらに含み、前記フレームは前記ソーイングリングに取り付けられる、請求項１に記載の人工心臓弁。
【請求項６】
前記人工心臓弁は、市販の弁を備え、縫合糸透過リングは、前記ソーイングリングに連結された塑性的に拡張可能なフレームを有する前記弁のソーイングリングである、請求項５に記載の人工心臓弁。
【請求項７】
前記ソーイングリングは、前記弁輪に対するシールを形成するように比較的剛性が高く、前記弁輪の形状に合う凹状の流入形状を有する、固体であるが圧縮可能な材料を備える、請求項５に記載の人工心臓弁。
【請求項８】
拡張可能なフレームを有する人工弁を含む心臓弁であって、前記フレームが移植位置に送るための収縮状態および外側において弁輪に連結されるように構成された拡張状態を有し、前記心臓弁が、近位ハブおよび内部を貫通するルーメンを有するホルダ上に装着され、前記近位ハブが、内部を貫通するルーメンを有するハンドルシャフトの遠位側端部に連結される、心臓弁と、
前記ハンドルシャフトの中に挿入され、前記ハンドルシャフトの前記ルーメンと前記ホルダの前記ルーメンとを通過して前記心臓弁内に入るように構成されたバルーンカテーテルと、
を備える人工弁システムであって、
前記心臓弁は、前記フレームが収縮状態にある状態で前記弁輪に隣接する移植位置まで前進させられるように構成されており、
前記バルーンカテーテルは、バルーンが前記バルーンカテーテル上で膨張して、前記フレームを拡張させるように構成されている、人工弁システム。
【請求項９】
前記ホルダ上に装着された前記心臓弁が、前記ハンドルシャフトおよび前記バルーンカテーテルとは別個にパッケージングされるようにさらに構成されている、請求項８に記載の人工弁システム。
【請求項１０】
前記フレームの前記収縮状態は円錐状であり、前記バルーンカテーテル上の前記バルーンは、膨張させる前に前記フレームの前記遠位側端部の近傍に位置する正中線を有する、請求項８に記載の人工弁システム。
【請求項１１】
前記フレームの前記収縮状態は円錐状であり、前記フレームは、少なくともいくつかが列の状態に並べられた半径方向に拡張可能な複数のストラットを備え、前記人工弁から最も遠い前記列は、前記収縮状態から前記拡張状態への拡張に関して最大の容量を有する、請求項８に記載の人工弁システム。
【請求項１２】
前記心臓弁は、前記弁輪の弁口サイズが前記フレームを塑性的に拡張することによって、１．０ｍｍ〜５．０ｍｍだけ大きくなるように構成されている、請求項８に記載の人工弁システム。
【請求項１３】
弁構成要素の前記人工弁が、前記心臓弁輪の大きくされた弁口サイズに一致する弁口サイズを有するように選択されている、請求項１２に記載の人工弁システム。
【請求項１４】
人工心臓弁を送るためのシステムであって、
拡張不能で折畳み不能な弁口を有する人工弁を含む心臓弁であって、心臓弁の流入端部から延び、移植位置に送るための収縮状態および拡張状態を有する拡張可能なフレームをさらに含む心臓弁と、
前記心臓弁に連結された弁ホルダと、
バルーンを有するバルーンカテーテルと、
前記弁ホルダの近位側端部に取り付けられるように構成され、前記カテーテルを通過させるためのルーメンを有する、展性を有するハンドルシャフトと、
を備え、前記バルーンは、遠位方向に前記ハンドルシャフトを貫通し、前記弁ホルダを越え、前記心臓弁を貫通して延びるシステム。
【請求項１５】
前記人工弁は、ソーイングリングを有する市販の人工弁を備え、前記フレームは前記ソーイングリングに取り付けられる、請求項１４に記載のシステム。
【請求項１６】
前記フレームの前記収縮状態は、円錐状であり、遠位方向にテーパ状になる、請求項１４に記載のシステム。
【請求項１７】
前記フレームの前記収縮状態は、円錐状であり、遠位方向にテーパ状になり、前記バルーンは、膨張する前に前記フレームの遠位側端部の近傍に位置する視認可能な正中線をさらに含む、請求項１４に記載のシステム。
【請求項１８】
前記弁ホルダ上に装着された前記心臓弁は、前記ハンドルシャフトおよび前記バルーンカテーテルとは別個にパッケージングされる、請求項１４に記載のシステム。
【請求項１９】
前記展性を有するハンドルシャフトは、アルミニウムから成る、請求項１４に記載のシステム。
【請求項２０】
前記バルーンカテーテルは、前記ハンドルシャフトの前記ルーメン内を延びる膨張チューブを有し、前記膨張チューブのＯＤは、前記ハンドルシャフトのルーメンのＩＤの９０％よりも大きい、請求項１４に記載のシステム。
【手続補正書】
【提出日】平成26年7月30日(2014.7.30)
【手続補正１】
【補正対象書類名】特許請求の範囲
【補正対象項目名】全文
【補正方法】変更
【補正の内容】
【特許請求の範囲】
【請求項１】
撮像体積内に配置された対象の原子核の磁気スピンを配向する磁場を発生する磁石と、
無線周波数コイルに接続する無線周波数送受信器を有する、磁気共鳴データを取得する無線周波数システムと、
前記撮像体積内の原子核の磁気スピンの空間符号化に対する磁場勾配コイルと、
前記磁場勾配コイルに電流を供給する磁場勾配コイル電力供給装置と、
麻酔システムに制御メッセージを送信する麻酔システムインタフェースと、
プロセッサ及びメモリを有するコンピュータシステムと、
を有する磁気共鳴撮像システムにおいて、
前記メモリが、前記プロセッサにより実行する命令を含み、前記命令の実行が、
磁気共鳴データを取得するように前記磁気共鳴撮像システムの動作を制御するステップ、及び
前記麻酔システムインタフェースを介して前記麻酔システムに制御メッセージを送信するステップ、
を前記プロセッサに実行させ、
前記コンピュータメモリが、磁気共鳴データの取得を計画するパルスシーケンスを含み、前記命令が、前記パルスシーケンスによって前記磁気共鳴撮像システムの動作を制御し、
前記メモリが、前記磁気共鳴データの取得中に前記麻酔システムにより呼吸のために前記対象に与えられるガスの組成の時間的制御を計画するガスシーケンスを有し、
前記命令の実行が、
組織酸素化レベル依存コントラスト画像に再構成されうる磁気共鳴データを取得するステップと、
前記磁気共鳴データを組織酸素化レベル依存コントラスト画像に再構成するステップと、
前記組織酸素化レベル依存コントラスト画像の各々における酸素化試験体積に対する組織酸素化測定値を決定することにより構成される組織酸素化レベル測定値のセットを決定するステップと、
呼吸器チャレンジアルゴリズムによって前記磁気共鳴データを分析するステップと、
を前記プロセッサに実行させ、
前記呼吸器チャレンジアルゴリズムが、少なくとも前記組織酸素化レベル測定値のセットのサブセットの統計分析を実行することにより前記磁気共鳴データを分析し、前記サブセットが、前記ガスセンサデータによって決定される、
前記命令が、前記ガスシーケンスによって麻酔ガス供給を制御するように前記麻酔システムに制御メッセージを送信する、
磁気共鳴撮像システム。
【請求項２】
前記麻酔システムインタフェースが、前記麻酔システムからガスセンサデータを受信し、前記ガスセンサデータが、前記対象により吸入される及び／又は吐き出されるガス内の時間依存ガス濃度を有し、前記ガスセンサデータが、前記パルスシーケンスによって前記磁気共鳴データと時間的に関連付けられる、請求項１に記載の磁気共鳴撮像システム。
【請求項３】
前記ガスにおいて測定されたガス濃度が、酸素濃度、二酸化炭素濃度及び窒素濃度のいずれか１つを有する、請求項２に記載の磁気共鳴撮像システム。
【請求項４】
各組織酸素化レベル測定値が、前記磁気共鳴データの取得中に計算され、前記命令が、前記組織酸素化レベル測定値のセットによって前記パルスシーケンス及び／又は前記ガスシーケンスを修正するステップを前記プロセッサに実行させる、請求項１ないし３のいずれか一項に記載の磁気共鳴撮像システム。
【請求項５】
前記命令の実行が、
血管反応性コントラスト画像に再構成されうる磁気共鳴データを取得するステップと、
前記磁気共鳴データを血管反応性コントラスト画像に再構成するステップと、
前記血管反応性コントラスト画像の各々における血管反応性試験体積に対する血管反応性レベルを決定することにより構成される血管反応性測定値のセットを決定するステップと、
を前記プロセッサに実行させ、
前記呼吸器チャレンジアルゴリズムが、少なくとも前記血管反応性測定値のセットのサブセットの統計分析を実行することにより前記磁気共鳴データを分析し、前記サブセットが、前記ガスセンサデータによって決定される、
請求項１ないし４のいずれか一項に記載の磁気共鳴撮像システム。
【請求項６】
各血管反応性測定値が、前記磁気共鳴データの取得中に計算され、前記命令が、前記血管反応性測定値のセットによって前記パルスシーケンス及び／又は前記ガスシーケンスを修正するステップを前記プロセッサに実行させる、請求項５に記載の磁気共鳴撮像システム。
【請求項７】
前記命令の実行が、前記ガスセンサデータによって前記パルスシーケンス及び／又は前記ガスシーケンスを修正するステップを前記プロセッサに実行させる、請求項１ないし６のいずれか一項に記載の磁気共鳴撮像システム。
【請求項８】
前記パルスシーケンスが、マルチ勾配エコーパルスシーケンスである、請求項４に記載の磁気共鳴撮像システム。
【請求項９】
前記磁気共鳴撮像システムが、前記麻酔システムを有する、請求項１ないし８のいずれか一項に記載の磁気共鳴撮像システム。
【請求項１０】
コンピュータシステムのプロセッサにより実行する機械可読命令を有するコンピュータプログラムにおいて、前記コンピュータシステムが、磁気共鳴撮像システムに接続され、前記コンピュータシステムが、麻酔システムに制御メッセージを送信する麻酔システムインタフェースに接続され、前記機械可読命令の実行が、
前記磁気共鳴撮像システムの動作を制御するステップと、
組織酸素化レベル依存コントラスト画像に再構成されうる磁気共鳴データを取得するステップと、
前記磁気共鳴データを組織酸素化レベル依存コントラスト画像に再構成するステップと、
前記組織酸素化レベル依存コントラスト画像の各々における酸素化試験体積に対する組織酸素化測定値を決定することにより構成される組織酸素化レベル測定値のセットを決定するステップと、
呼吸器チャレンジアルゴリズムによって前記磁気共鳴データを分析するステップであって、前記呼吸器チャレンジアルゴリズムが、少なくとも前記組織酸素化レベル測定値のセットのサブセットの統計分析を実行することにより前記磁気共鳴データを分析し、前記サブセットが、前記ガスセンサデータによって決定される、ステップと、
前記磁気共鳴データの取得中に前記麻酔システムにより呼吸のために前記対象に与えられるガスの組成の時間的制御を計画するために、前記麻酔システムインタフェースを介して前記麻酔システムに制御メッセージを送信するステップであって、前記命令が、前記ガスシーケンスによって前記麻酔システムに制御メッセージを送信する、ステップと、
を前記プロセッサに実行させる、コンピュータプログラム。
【手続補正書】
【提出日】平成26年8月19日(2014.8.19)
【手続補正１】
【補正対象書類名】特許請求の範囲
【補正対象項目名】全文
【補正方法】変更
【補正の内容】
【特許請求の範囲】
【請求項１】
ポリエチレングリコール及び少なくとも１種のポリフェノール性ポリマーを含み、
前記ポリフェノール性ポリマーが、チロシン由来のポリアリレート、線状のポリエステルアミド、ジヒドロキシベンゾエートポリマー、及びレゾルシノール由来のポリマーからなる群から選択され、
前記チロシン由来のポリアリレートが、下式：
【化１】
2013540463.tif 000001
（式中、Ｒ１は、ＣＨ＝ＣＨ又は（ＣＨ２）ｎであり、
ｎは、０〜１８の範囲の整数であり、
Ｙは、Ｃ１〜Ｃ１８のアルキルアミノ、−ＯＲ’、−ＮＨＣＨ２ＣＯ２Ｒ’、−ＮＨ（ＣＨ２）ｑＯＲ’、−ＮＨ（ＣＨ２ＣＨ２Ｏ）ｐＲ’、−ＮＨ（ＣＨ２ＣＨ２ＣＨ２Ｏ）ｐＲ’、
【化２】
2013540463.tif 000002
からなる群から選択され、
ｑは、０〜４の範囲の整数であり、
ｐは、１〜５０００の範囲の整数であり、
Ｒ’は、Ｈ、Ｃ１〜Ｃ１８アルキル、Ｃ２〜Ｃ１８アルケニル、Ｃ８〜Ｃ１４アルキルアリール、ベンジル、及び置換ベンジルからなる群から独立に選択され、
Ｒ２は、１〜３０個の炭素原子を有する二価の線状又は分枝状の置換又は非置換のアルキレン、アルケニレン、アルキニレン、アリーレン、アルキルアリーレン、アルキルエーテル又はアリールエーテル部分、−（Ｒｓ）ｑＯ（（ＣＲ３Ｒ４）ｒＯ）ｓ（Ｒ５）ｑ−、及び（Ｒ５）ｑＣＯ２（（ＣＲ３Ｒ４）ｒＯ）ｓＣＯ（Ｒ５）ｑ−からなる群から独立に選択され、
Ｒ３及びＲ４は、水素及び１〜１０個の炭素原子を有する線状又は分枝状の置換又は非置換のアルキルからなる群から独立に選択され、
Ｒ５は、独立に線状又は分枝状の低級アルキレン又は低級アルケニレン基である）を有するモノマー単位を含む、コーティング。
【請求項２】
前記チロシン由来のポリアリレートが、Ｐ２２ファミリーの１員を含み、少なくとも１種の抗微生物成分をさらに含む、請求項１に記載のコーティング。
【請求項３】
前記抗微生物成分が、ミノサイクリン、リファンピン、及びそれらの混合物からなる群から選択される、請求項２に記載のコーティング。
【請求項４】
薬剤、ポリエチレングリコール及びポリフェノール性ポリマーを合わせた重量に対して、約２０％〜約７０％の少なくとも１種の薬剤をさらに含む、請求項１に記載のコーティング。
【請求項５】
前記少なくとも１種の薬剤が、抗微生物剤、麻酔剤、鎮痛剤、抗炎症剤、抗瘢痕化剤、抗線維化剤及びロイコトリエン阻害剤からなる群から選択される、請求項４に記載のコーティング。
【請求項６】
前記少なくとも１種の薬剤が、抗生剤、防腐剤、及び消毒剤からなる群から選択される抗微生物剤である、請求項５に記載のコーティング。
【請求項７】
請求項１に記載のコーティングを備え、金属、有機材料、天然もしくは合成ポリマー又はコポリマー、及び生物由来の材料からなる群から選択される材料を備える、医療デバイス。
【請求項８】
前記コーティングが、少なくとも１種の薬剤をさらに含む、請求項７に記載の医療デバイス。
【請求項９】
前記薬剤が、抗微生物剤であり、前記抗微生物剤の少なくとも約３０％が、約２４時間後に前記コーティングから溶出する、請求項８に記載の医療デバイス。
【請求項１０】
前記医療デバイスが、メッシュ、パウチ、又はカバーリングである、請求項７に記載の医療デバイス。
【手続補正書】
【提出日】平成26年8月13日(2014.8.13)
【手続補正１】
【補正対象書類名】特許請求の範囲
【補正対象項目名】全文
【補正方法】変更
【補正の内容】
【特許請求の範囲】
【請求項１】
放射線曝露によりポリマー製ステントを殺菌するステップであって、前記放射線曝露により前記ポリマー中に遊離ラジカルが生成するステップと、
前記ステントを周囲よりも高く前記ポリマーのＴｇよりも低い温度に曝露して前記ステントの温度を上昇させるステップであって、温度上昇により遊離ラジカル濃度が低下し、遊離ラジカルの消失を導く遊離ラジカルの減衰速度が増加し、これにより、殺菌による前記ポリマーの化学的分解が低減する一方、結晶化度、結晶サイズ、及び、ポリマー鎖の配向の変化を抑制又は防止するステップと、
を含む、ステントの安定化方法。
【請求項２】
前記ポリマーがポリ（Ｌ−ラクチド）である、請求項１に記載の方法。
【請求項３】
曝露温度が５０〜５５℃である、請求項２に記載の方法。
【請求項４】
高温度への曝露が１〜６時間維持される、請求項１に記載の方法。
【請求項５】
放射線がｅ線放射線である、請求項１に記載の方法。
【請求項６】
曝露温度が前記ポリマーのガラス転移温度より５〜１５℃低い、請求項１に記載の方法。
【請求項７】
放射線曝露が２０〜３１ｋＧｙである、請求項１に記載の方法。
【請求項８】
前記ステントが密封した小袋内に入れられている、請求項１に記載の方法。
【請求項９】
前記ステントを周囲よりも高く前記ポリマーのＴｇよりも低い温度に曝露するステップが、
曝露温度を周囲よりも高く前記ポリマーのＴｇよりも低い指定温度に上昇させることと、曝露温度を最低温度まで低下させることとを含む温度サイクルに前記ステントを曝露するステップと、
前記温度サイクルを１回又は複数回繰り返すステップと、を含む、請求項１に記載のステントの安定化方法。
【請求項１０】
前記ポリマーがポリ（Ｌ−ラクチド）である、請求項９に記載の方法。
【請求項１１】
前記温度サイクルが１時間当たり１０〜１５サイクルの速度で行われる、請求項９に記載の方法。
【請求項１２】
前記ステントが密封した小袋内に入れられている、請求項９に記載の方法。
【請求項１３】
前記サイクルの持続期間が１〜１０分であり得る請求項９に記載の方法。
【手続補正書】
【提出日】平成26年8月21日(2014.8.21)
【手続補正１】
【補正対象書類名】特許請求の範囲
【補正対象項目名】全文
【補正方法】変更
【補正の内容】
【特許請求の範囲】
【請求項１】
対象における副鼻腔の狭窄開口部を拡張するためのデバイスであって、
（ａ）膨張性部分を非膨張構成から膨張構成に膨張させるように構成される、自己膨張駆動部と、
（ｂ）前記駆動部の周囲に配置され、非膨張構成から膨張構成に膨張するように構成される前記膨張性部分であって、前記非膨張構成は、前記狭窄開口部内に位置付けられる大きさに形成される、前記膨張性部分と、
を備える、デバイス。
【請求項２】
前記駆動部は、０．５時間以上の期間にわたり、前記膨張性部分を前記非膨張構成から前記膨張構成に膨張させるように構成される、請求項１に記載のデバイス。
【請求項３】
前記駆動部は、４時間以上の期間にわたり、前記膨張性部分を前記非膨張構成から前記膨張構成に膨張させるように構成される、請求項１に記載のデバイス。
【請求項４】
前記駆動部は、浸透作用、形状記憶金属、バネ、膨潤性ポリマー、気体の熱膨張、液体の熱膨張、気体を発生する化学反応、および材料の相変化膨張のうちの少なくとも１つにより、前記膨張性部分を膨張させるように構成される、請求項１に記載のデバイス。
【請求項５】
前記駆動部は、浸透作用により前記膨張性部分を膨張させるように構成され、前記駆動部は、浸透活性物質を備える、請求項１に記載のデバイス。
【請求項６】
内部管腔を画定する導管を備え、前記導管は、前記対象における副鼻腔と流体連通するように構成される遠位端と、前記対象における鼻腔と流体連通するように構成される近位端とを備え、前記導管は、前記デバイスが前記狭窄開口部内に位置付けられる時に、前記副鼻腔と前記鼻腔との間の流体流動を可能にするように構成される、請求項１に記載のデバイス。
【請求項７】
前記膨張性部分は、半透膜を備える、請求項６に記載のデバイス。
【請求項８】
前記導管は、半透膜を備える、請求項７に記載のデバイス。
【請求項９】
前記導管は、不透過性材料を備える、請求項７に記載のデバイス。
【請求項１０】
前記膨張性部分は、不透過性膜を備える、請求項６に記載のデバイス。
【請求項１１】
前記デバイスを前記狭窄開口部内に維持するように構成される、少なくとも１つのアンカーを備える、請求項１に記載のデバイス。
【請求項１２】
前記デバイスが前記狭窄開口部内に位置付けられている間に薬物を送達するように構成される、薬物貯蔵部を備える、請求項１に記載のデバイス。
【請求項１３】
前記薬物は、抗生物質、抗炎症薬、局所麻酔薬、鎮痛薬またはそれらの組み合わせを含む、請求項１２に記載のデバイス。
【請求項１４】
キットであって、
ａ）請求項１に記載の、副鼻腔の狭窄開口部を拡張するためのデバイスと、
ｂ）前記デバイスを使用して前記狭窄開口部を膨張するための説明と、
を備える、キット。
【請求項１５】
２つ以上のデバイスを備える、請求項１４に記載のキット。
【請求項１６】
第１のデバイスと第２のデバイスとを備え、前記第２のデバイスの前記膨張構成は、前記第１のデバイスの前記膨張構成の直径よりも大きい直径を有する、請求項１５に記載のキット。
【請求項１７】
前記狭窄開口部を採寸するための１つ以上の副鼻腔口採寸プローブを備える、請求項１４に記載のキット。
【手続補正書】
【提出日】平成26年7月10日(2014.7.10)
【手続補正１】
【補正対象書類名】特許請求の範囲
【補正対象項目名】全文
【補正方法】変更
【補正の内容】
【特許請求の範囲】
【請求項１】
３以上のヒトパピローマウイルス（ＨＰＶ）Ｅ７抗原のアミノ酸配列または該３以上のＥ７抗原のいずれかと少なくとも８０％同一性を含む配列を含むポリペプチドであって、Ｅ７抗原が、少なくとも３つの異なるＨＰＶ株から選択される、ポリペプチド。
【請求項２】
ＨＰＶ株が、ＨＰＶ１６、ＨＰＶ１８、ＨＰＶ３１、ＨＰＶ３３、ＨＰＶ３５、ＨＰＶ３９、ＨＰＶ４５、ＨＰＶ５１、ＨＰＶ５２、ＨＰＶ５６、ＨＰＶ５８、ＨＰＶ５９、ＨＰＶ６８、ＨＰＶ７３、およびＨＰＶ８２からなる群から選択されるハイリスク株である、請求項１に記載のポリペプチド。
【請求項３】
ポリペプチドが、配列番号１６または１７に記載のアミノ酸配列を含む、請求項１に記載のポリペプチド。
【請求項４】
ポリペプチドが、配列番号３３または３４を含むヌクレオチド配列によってコードされる、請求項１に記載のポリペプチド。
【請求項５】
Ｅ７抗原が、配列番号１〜１５から選択されるアミノ酸配列を含む、請求項１または２に記載のポリペプチド。
【請求項６】
ポリペプチドが、配列番号１６または１７に記載のアミノ酸配列と少なくとも８０％配列同一性を有するアミノ酸配列を含む、請求項１に記載のポリペプチド。
【請求項７】
請求項１〜６のいずれか一項に記載のポリペプチドをコードする核酸分子。
【請求項８】
請求項１〜６のいずれか一項に記載のポリペプチドまたは請求項７に記載の核酸分子を含み、キャリアをさらに含む、組成物。
【請求項９】
アジュバントをさらに含む、請求項８に記載の組成物。
【請求項１０】
アジュバントが、Ｔｏｌｌ様受容体（ＴＬＲ）アゴニスト、インターフェロンアルファ、４−１  ＢＢ受容体のアゴニスト、ＣＤ４０受容体のアゴニスト、または抗ＣＤ４０抗体からなる群から選択される、請求項９に記載の組成物。
【請求項１１】
免疫応答の刺激を、ＨＰＶ感染症と関連する状態の処置または予防を、または、ＨＰＶ感染症の処置を、それを必要とする対象において行うための、有効量の請求項１〜６のいずれか一項に記載のポリペプチドまたは請求項７に記載の核酸分子または請求項８〜１０のいずれか一項に記載の組成物の使用。
【請求項１２】
ＨＰＶ感染症と関連する状態が、乳癌、子宮頸部癌、肛門癌、外陰癌、膣癌、陰茎癌、頭頸部癌、および肺癌またはそれらの前悪性病変の１つ以上からなる群から選択されるか、または前癌性の子宮頸部上皮腫瘍（ＣＩＮ  Ｉ〜ＣＩＮ  ＩＩＩ）または子宮頸癌である、請求項１１に記載の使用。
【請求項１３】
使用が、１４日未満の時間枠にわたる複数の用量の投与、１〜４日にわたる複数の用量の投与または複数の１日量の投与を含む、請求項１１または１２に記載の方法。
【請求項１４】
アミノ酸配列ＴＳＮＹＮＩＶＴＦ（配列番号３５）、ＡＥＰＤＴＳＮＹＮＩＶＴＦＣＣ（配列番号３６）、またはＴＳＮＹＮＩＶＴＦＣＣＱＣＫＳ（配列番号３７）の１つ以上から本質的になるペプチド。
【請求項１５】
ＨＰＶ３１感染症を診断するための、またはＨＰＶ３１感染症に対する対象の応答を決定するための方法であって、アミノ酸配列ＴＳＮＹＮＩＶＴＦ（配列番号３５）、ＡＥＰＤＴＳＮＹＮＩＶＴＦＣＣ（配列番号３６）、またはＴＳＮＹＮＩＶＴＦＣＣＱＣＫＳ（配列番号３７）の１つ以上から本質的になるペプチドと試料を接触させることを含む、方法。